(57)【要約】      （修正有）【課題】調味料の飛び散りや納豆の粘りが手に付くことを防ぐ納豆容器であって、調味料を納豆に蓋閉塞のまま注ぎ込むことができる納豆容器を提供する。【解決手段】容器本体に延設した調味料収納函１２を設け、前記容器本体と前記調味料収納函１２の二槽を同時に塞ぐ上蓋１０を設け、続いて前記調味料収納函１２には調味料が漏れないように中蓋フイルム１５を備え、前記納豆容器本体函と調味料収納函１２が並列に共有する壁は間仕切壁で形成し、前記間仕切壁に調味料が前記容器本体函に注がれるように貫通孔を作る手段を備えてなる納豆容器。【選択図】図１
2014125232.tif 000002
【特許請求の範囲】
【請求項１】
底部４周縁に周壁を設立し、前記周壁は前周壁、後周壁、左周壁、右周壁の４周壁と前記左周壁と前記右周壁間に前記後周壁寄りの位置に平行して間仕切壁を備え、調味料収納函を設け、前記３周壁上部縁に延設し下フランジを備え、前記後周壁上部縁に下フランジと上フランジを兼ねた折曲部（ヒンジ）を備えた容器本体上端３方開口を開閉する本体蓋を設け、前記本体蓋の３方縁に上フランジを設けると共に３周壁上端縁より外方へ上端３方開口の有底長方形函に正方形の納豆収納函と変形型楕円形の調味料収納函を有する容器本体を設け、納豆と調味料を収納後、前記調味料収納函縁全面に中蓋フイルムを張付け剥離不可能に設け、前記３周壁上部縁の下フランジと前記本体蓋３周縁の上フランジを熱融着させ剥離可能に設け、且つ、前記間仕切壁の上縁中央に凹部を設け、前記凹部底が撓み貫通孔となるように設け、前記本体蓋裏面には前記間仕切壁の前記凹部に嵌合する硬質の爪を設け、蓋を開けずに前記本体蓋裏に設けた爪の蓋上面を押すように設けたことで、撓み貫通口ができ容器全体を傾けると納豆入容器本体に調味料を注がれる納豆容器を形成したことを特徴とする  蓋を開けずに納豆入り容器に調味料を注入できる納豆容器。
【発明の詳細な説明】
【技術分野】
【０００１】
本発明は、納豆容器に関し、詳しくは、容器本体に延設した調味料収納函を設け、前記容器本体と前記調味料収納函の二槽を同時に塞ぐ上蓋を設け、続いて前記調味料収納函には調味料が漏れないように中蓋フイルムを備え、前記納豆容器本体函と調味料函が並列に共有する壁は間仕切壁で形成し、前記間仕切壁に調味料が前記容器本体函に注がれるように貫通孔を作る手段を備えてなる納豆容器に関する。
【背景技術】
【０００２】
従来、納豆を食す際、納豆の粘りで手を汚すことなく、乾燥防止シートの除去を行い、乾燥防止シートのゴミ処理の際にも、粘りで手を汚すことなく、また、乾燥防止シートのゴミ処理の手間をも要することがない納豆容器を開発することの解決手段として、納豆が充填される容器本体と、開閉可能な蓋体と、容器本体内部に充填された納豆Ｇの上面に敷設される乾燥防止シートと、からなる納豆容器において、容器本体の一端辺と蓋体の一端辺と乾燥防止シートの一端辺を重ね合せて固定し、乾燥防止シートの固定された一端辺とは反対側の一端辺に糸状の引っ張り手段の一端を結合するとともに、糸状の引っ張り手段の他端を容器本体の一端辺と蓋体の一端辺の固定した隙間から容器の外に出したことで引っ張れば乾燥防止シートを鳩吸縮し集約することが可能となるものはあった。（特許文献１参照）
【０００３】
従来、納豆を食す場合において、薬味の添加が必要な場合、袋状の薬味は開封や添加時、飛散などが起こった。薬味の添加しやすい構造を考える必要がある。その解決方法として保存方を薬味袋から、納豆容器の蓋体上面に保存用の窪みを設け薬味を保存し、本体と蓋合わせ部の出口穴シールが、本体容器蓋を開けることで、保存部出口シールが剥がれ開口する、これにより蓋体上面の絞り出しシートを絞りだすことで、保存部出口より本体内部の納豆に添加できる構造としたものはあった。
（特許文献２参照）
【０００４】
従来、使用時に余分なゴミが出にくくかつ比較的低コストで製造可能であるにもかかわらず、内部に収納している納豆用調味料を簡単にかつ周囲を汚すことなく吐出できる納豆容器は、発泡樹脂製であり、納豆収納凹部を有する容器本体と、その開口を塞ぐ蓋体とがヒンジ部を介して連結された構造を有する。蓋体には蓋体内面側に膨出した形状の調味料収納凹部が設けられる。蓋体には蓋体外面側に谷折りする際の折曲予定線が設定される。蓋体には調味料収納凹部に連通し折曲予定線を横断する開裂溝が設けられる。蓋体外面側には、調味料収納凹部の開口を覆って密閉するシール材が設けられる。蓋体を折曲予定線に沿って谷折りすると、開裂溝の折曲予定線横断部位にて開裂するものはあった。（特許文献３参照）
【先行技術文献】
【特許文献】
【０００５】
【特許文献１】特開２００９−１３３２号公報
【特許文献２】特開２０１２−１７１６５６号公報
【特許文献３】特開２０１２−１７１６３２号公報
【発明の概要】
【発明が解決しようとする課題】
【０００６】
納豆を食する時に、市販されている納豆容器の中の納豆に小袋に入った調味料を開口し入れて攪拌するが、先ず調味料が入った小袋を開口する時にタレや辛子が飛び散り手や衣類になお食卓を汚し、又容器よりはみ出した納豆の粘りが手に付いた時の処理は厭なもので大変であり、嫌なものであったことを改善すること。
【０００７】
本発明は、納豆容器本体函と前記納豆容器本体内に調味料収納函を並列に設け、調味料の飛び散りや納豆の粘りが手に付くことを防ぐ容器であって、調味料を納豆に蓋閉塞のまま注ぎ込むことができる納豆容器を提供できることを課題とするものである。
【課題を解決するための手段】
【０００８】
本発明は、底部４周縁に周壁を設立し、前記周壁は前周壁、後周壁、左周壁、右周壁の４周壁と前記左周壁と前記右周壁間に前記後周壁寄りの位置に平行して間仕切壁を備え、調味料収納函を設け、前記３周壁上部縁に延設し下フランジを備え、前記後周壁上部縁に下フランジと上フランジを兼ねた折曲部（ヒンジ）を備えた容器本体上端３方開口を開閉する本体蓋を設け、前記本体蓋の３方縁に上フランジを設けると共に３周壁上端縁より外方へ上端３方開口の有底長方形函に正方形の納豆収納函と変形型楕円形の調味料収納函を有する容器本体を設け、納豆と調味料を収納後、前記調味料収納函縁全面に中蓋フイルムを張付け剥離不可能に設け、前記３周壁上部縁の下フランジと前記本体蓋３周縁の上フランジを熱融着させ剥離可能に設け、且つ、前記間仕切壁の上縁中央に凹部を設け、前記凹部底が撓み貫通孔となるように設け、前記本体蓋裏面には前記間仕切壁の前記凹部に嵌合する硬質の爪を設け、蓋を開けずに前記本体蓋裏に設けた爪の蓋上面を押すように設けたことで、撓み貫通口ができ容器全体を傾けると納豆入容器本体に調味料を注がれる納豆容器を形成したことにより調味料で容器や身体周辺を汚さずに済むようにした。
【発明の効果】
【０００９】
本発明は、納豆容器本体に納豆収納函と調味料収納函を並列に設け、蓋を閉じた儘調味料を調味料収納函より納豆収納函に注ぐ事ができるように設けたことにより、調味料入れ小袋の処置や調味料の飛び散りで納豆の粘りが手や衣類に付くことを防ぐことが出来る効果をもって、尚一層納豆を好きに成らせる効果を得るようになる。
【００１０】
従って、納豆が容器縁に付き、しかも、手に粘々が付き、又調味料の小袋を切る時タレが飛び散り嫌な思いをすることもなくなり、尚、蓋も開けずに「蓋をキュー」と押し、そのまま片方に傾けるだけで調味料を納豆に注ぎ入れ、蓋を開口してかき混ぜ攪拌するだけで食べられるので、特に子供たちに喜ばれ楽しく食させることができる。
【図面の簡単な説明】
【００１１】
【図１】容器本体に設けた納豆収納函と調味料収納函の半開口の側面斜視図
【図２】容器本体の蓋を除外し、納豆収納函と調味料収納函の平面斜視図
【図３】容器本体蓋裏に設けた硬質の爪の部分と間仕切壁の上縁中央に凹部の側面拡大図
【図４】容器本体に設けた間仕切壁の撓み貫通孔の拡大図
【図５】調味料収納函の中蓋フイルムの平面図
【発明を実施するための形態】
【００１２】
以下、本発明の実施の形態を実施例となる図１〜図５の参照に基づいて説明する。
【００１３】
図１は、容器本体に設けた納豆収納函と調味料収納函の半開口の側面斜視図であって、容器本体は、底部１の４周縁に周壁を設立し、前記周壁は前周壁２、後周壁３、左周壁４、右周壁５の４周壁と前記左周壁４と前記右周壁５間に前記後周壁３寄りの位置に平行して間仕切壁６を備え、調味料収納函１２を設け、前記３周壁上部縁に延設し下フランジ７を備え、前記後周壁３上部縁に下フランジ７と上フランジ８を兼ねた折曲部９（ヒンジ）を備えた容器本体上端３方開口を開閉する本体蓋を設け、前記本体蓋の３方縁に上フランジ８を設けると共に３周壁上端縁より外方へ上端３方開口の有底長方形函に正方形の納豆収納函１１と変形型楕円形の調味料収納函１２を有する容器本体を設け、納豆と調味料を収納後、前記調味料収納函１２縁全面に中蓋フイルム１５を張付け剥離不可能に設け、前記３周壁上部縁の下フランジと前記本体蓋３周縁の上フランジ８を熱融着させ剥離可能に設け、且つ、前記間仕切壁６の上縁中央に凹部１３を設け、前記凹部１３底が撓み貫通孔１６となるように設け、前記本体蓋裏面には前記間仕切壁６の前記凹部１３に嵌合する硬質の爪１４を設けると良い。
【００１４】
図２は、容器本体の蓋を除外し、納豆収納函と調味料収納函の平面斜視図であって、容器本体の納豆収納函１１と調味料収納函１２との間仕切壁６や下フ
ランジ７に上フランジ８と折曲部（ヒンジ）９の位置知関係を示す。尚、点線囲い部分は中蓋フイルム１５の貼付範囲を示す。
【００１５】
図３は、  容器本体蓋裏に設けた硬質の爪１４の部分と間仕切壁６の上縁中央に凹部１３の側面拡大図で、容器本体の容器本体蓋１０を閉じた状態を示し
、容器本体に設けた間仕切壁６の凹部１３と容器本体蓋裏に設けた硬質の爪１４とが嵌合されるように設けると良い。
尚、納豆容器本体の材料としてポリスチレン樹脂、発泡樹脂性は、外部より押し加圧をすると撓みが生じ、その間に調味料収納函１２より納豆収納函１１にゲル状の調味料であれば流れ注がれる、その撓み状態を保っている時間は、２〜３回押すことで撓み続け開口され貫通口１６が出来るので良い。又、本体容器の蓋１０を閉じている時は硬質の爪１４と間仕切壁６が嵌合状態であるので、たれ漏れは無いのでこのように形成すると良い。
【００１６】
図４は、  容器本体に設けた間仕切壁の撓み貫通孔の拡大図であって、容器本体に設けた間仕切壁６の凹部１３の底が撓み貫通孔１６となる間仕切壁１３と容器本体蓋１０裏の硬質の爪１４の拡大図を示し、容器本体の蓋１０に設けた硬質の爪１４（先方端の厚み、２ｍｍ〜２，２ｍｍ、幅７ｍｍ、長さ７ｍｍの長方口四角錐状形でピン状）を指で押すと容器本体の間仕切壁６（壁の厚み、２,２ｍｍ〜２，６ｍｍ）の中央凹部１３に撓みさせ貫通孔となる凹部底１６（長さ７，０１ｍｍ幅約２，０３ｍｍ〜２，０７）を設けると良い。
又、間仕切壁６の中央凹部１３の底に本体容器に設けた硬質の爪１４で押して撓みさせる貫通孔１６となり開口されることにより流体の調味料が通り抜け本体納豆収納函１１に注がれるので良い。
【００１７】
図５は、調味料収納函の中蓋フイルムの平面図であって、前面の凹型のカットされている部分は、本体容器に設けられている間仕切壁６の凹部１６の部分であり、凹部１６に合わせ中蓋フイルム１５を納豆収納函１２周りの下フランジ７と間仕切６縁の内側一部に接合させ張付けると良い。又、斜線部分は間仕切壁６中央凹部１３及び中央凹部１３底近周壁が撓み貫通口１６が開口される時の様子を示す。
【符号の説明】
【００１８】
１ 底部
２  前周壁
３  後周壁
４  左周壁
５  右周壁
６  間仕切壁
７  下フランジ
８  上フランジ
９  折曲部（ヒンジ）
１０  容器本体蓋
１１  納豆収納函
１２  調味料収納函
１３  凹部
１４  硬質の爪
１５  中蓋フイルム
１６  貫通口
【図１】
2014125232.tif 000003
【図２】
2014125232.tif 000004
【図３】
2014125232.tif 000005
【図４】
2014125232.tif 000006
【図５】
2014125232.tif 000007